【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
Ｔｅｃキナーゼポリペプチドの活性を調節する化合物の同定方法であって、（ｉ）ＰＨドメインと、キナーゼドメインを構成するアミノ酸までで、それを含まない、少なくとも１つのプロリンに富む領域を含む一部のＴＨドメインを構成する最低限のアミノ酸により切断されているＴｅｃキナーゼアミノ酸配列を有する切断型Ｔｅｃキナーゼポリペプチドを、（ｉｉ）試験化合物と接触させ、該試験化合物が不存在の場合に起こる活性と比較して、ポリペプチドの活性における亢進または阻害を検出することを含む、方法。
【請求項２】
Ｔｅｃキナーゼアミノ酸配列が、ＰＨドメインと、ＳＨ２およびキナーゼドメインを構成するアミノ酸までで、それを含まない、少なくとも１つのプロリンに富む領域を含む一部のＴＨドメインを構成する最低限のアミノ酸により切断されているところの、請求項１記載の方法。
【請求項３】
Ｔｅｃキナーゼアミノ酸配列が、ＰＨドメインと、ＳＨ３、ＳＨ２およびキナーゼドメインを構成するアミノ酸までで、それを含まない、少なくとも１つのプロリンに富む領域を含む一部のＴＨドメインを構成する最低限のアミノ酸により切断されているところの、請求項１記載の方法。
【請求項４】
切断型Ｔｅｃキナーゼポリペプチドがプロリンに富む領域を全く含まない、請求項１ないし３のいずれか一項記載の方法。
【請求項５】
ＴｅｃキナーゼポリペプチドがＩｔｋであるところの、請求項１ないし４のいずれか一項記載の方法。
【請求項６】
Ｔｅｃキナーゼポリペプチドが図３に示されるアミノ酸配列またはそれと少なくとも７０％の相同性を有するところの、請求項５記載の方法。
【請求項７】
ＴｅｃキナーゼポリペプチドがＢｔｋであるところの、請求項１ないし４のいずれか一項記載の方法。
【請求項８】
Ｔｅｃキナーゼポリペプチドが図８に示されるアミノ酸配列またはそれと少なくとも７０％の相同性を有するところの、請求項７記載の方法。
【請求項９】
目的とする化合物を、切断型Ｔｅｃキナーゼポリペプチドと、標的ポリペプチドの存在下で接触させ、その標的ポリペプチドのリン酸化を観察することを含む、請求項１ないし８のいずれかに記載の化合物の同定方法。
【請求項１０】
切断型Ｔｅｃキナーゼポリペプチドを発現する細胞系を、目的とする化合物と接触させるところの、請求項１ないし９のいずれかに記載の方法。
【請求項１１】
ＰＨドメインと、キナーゼドメインを構成するアミノ酸までで、それを含まない、少なくとも１つのプロリンに富む領域を含む一部のＴＨドメインを構成する最低限のアミノ酸により切断されているＩｔｋキナーゼアミノ酸配列を有する切断型Ｔｅｃキナーゼポリペプチド。
【請求項１２】
ＰＨドメインと、ＳＨ２およびキナーゼドメインを構成するアミノ酸までで、それを含まない、少なくとも１つのプロリンに富む領域を含む一部のＴＨドメインを構成する最低限のアミノ酸により切断されているＴｅｃキナーゼアミノ酸配列を有する切断型Ｔｅｃキナーゼポリペプチド。
【請求項１３】
Ｔｅｃキナーゼアミノ酸配列が、ＰＨドメインと、ＳＨ３、ＳＨ２およびキナーゼドメインを構成するアミノ酸までで、それを含まない、少なくとも１つのプロリンに富む領域を含む一部のＴＨドメインを構成する最低限のアミノ酸により切断されているところの、請求項１１または請求項１２記載の切断型Ｔｅｃキナーゼポリペプチド。
【請求項１４】  全くプロリンに富む領域を含まない、請求項１１ないし１３のいずれか一項記載の切断型Ｔｅｃキナーゼポリペプチド。
【請求項１５】
ＴｅｃキナーゼポリペプチドがＩｔｋであるところの、請求項１２ないし１４のいずれか一項記載の切断型Ｔｅｃキナーゼポリペプチド。
【請求項１６】
図３に示されるアミノ酸配列またはそれと少なくとも７０％の相同性を有する、請求項１５記載の切断型Ｔｅｃキナーゼポリペプチド。
【請求項１７】
ＴｅｃキナーゼポリペプチドがＢｔｋであるところの、請求項１２ないし１４のいずれか一項記載の切断型Ｔｅｃキナーゼポリペプチド。
【請求項１８】
図８に示されるアミノ酸配列またはそれと少なくとも７０％の相同性を有する、請求項１７記載の切断型Ｔｅｃキナーゼポリペプチド。
【請求項１９】
（ａ）請求項１２ないし１８のいずれか一項に記載の切断型Ｔｅｃキナーゼポリペプチドをコードするか；
（ｂ）ポリヌクレオチド（ａ）に相補的であるか；
（ｃ）ポリヌクレオチド（ａ）または（ｂ）と選択的にハイブリダイズするか；または
（ｄ）遺伝暗号の結果として、ポリヌクレオチド（ａ）、（ｂ）または（ｃ）から縮重されている、
単離されたポリヌクレオチド。
【請求項２０】
（ａ）図３に示される切断型Ｉｔｋポリペプチドをコードするか；
（ｂ）ポリヌクレオチド（ａ）に相補的であるか；
（ｃ）ポリヌクレオチド（ａ）または（ｂ）と選択的にハイブリダイズするか；または
（ｄ）遺伝暗号の結果として、ポリヌクレオチド（ａ）、（ｂ）または（ｃ）から縮重されている、
請求項１９記載の単離されたポリヌクレオチド。
【請求項２１】
（ａ）図２に示される配列；
（ｂ）ポリヌクレオチド（ａ）に相補的な配列；
（ｃ）ポリヌクレオチド（ａ）または（ｂ）と選択的にハイブリダイズする配列；または
（ｄ）遺伝暗号の結果として、ポリヌクレオチド（ａ）、（ｂ）または（ｃ）から縮重されている配列
を有する、請求項２０記載の単離されたポリヌクレオチド。
【請求項２２】
（ａ）図８に示される切断型Ｂｔｋポリペプチドをコードするか；
（ｂ）ポリヌクレオチド（ａ）に相補的であるか；
（ｃ）ポリヌクレオチド（ａ）または（ｂ）と選択的にハイブリダイズするか；または
（ｄ）遺伝暗号の結果として、ポリヌクレオチド（ａ）、（ｂ）または（ｃ）から縮重されている、
請求項１９記載の単離されたポリヌクレオチド。
【請求項２３】
（ａ）図９に示される配列；
（ｂ）ポリヌクレオチド（ａ）に相補的な配列；
（ｃ）ポリヌクレオチド（ａ）または（ｂ）と選択的にハイブリダイズする配列；または
（ｄ）遺伝暗号の結果として、ポリヌクレオチド（ａ）、（ｂ）または（ｃ）から縮重されている配列
を有する、請求項２２記載の単離されたポリヌクレオチド。
【請求項２４】
請求項１９ないし２３のいずれか一項記載のポリヌクレオチドを含むベクター。
【請求項２５】
請求項２４に記載のベクターを含む宿主細胞。
【請求項２６】
請求項１９ないし２３のいずれか一項記載の切断型Ｔｅｃキナーゼポリヌクレオチドの産生能を有するプライマー。
【請求項２７】
請求項１１ないし１８のいずれか一項に記載のポリペプチドの産生方法であって、請求項１９ないし２３のいずれか一項に記載のポリヌクレオチドを含むベクターを、ポリペプチドの発現を得るのに適する条件下で、適当な細胞系に導入することを含む、方法。
【請求項２８】
Ｔｅｃキナーゼ活性を調節し、かつ請求項１ないし１０のいずれか一項に記載の方法により同定することができる化合物の、Ｔｅｃキナーゼ活性の調節に応答する障害を治療または予防するための医薬の製造における使用。
【請求項２９】
障害が炎症であるところの、請求項２８記載の使用。
【請求項３０】
Ｔｅｃキナーゼ活性の調節に応答する障害を有する対象の治療方法であって、請求項１ないし１０のいずれか一項に記載の方法によって同定可能な有効量の化合物を患者に投与することを含む、方法。
【請求項３１】
障害が炎症であるところの、請求項３０記載の方法。